(57)【特許請求の範囲】
【請求項１】
少なくとも第１情報及び第２情報からなる情報を受信する情報受信部と、
前記受信情報から第１情報と第２情報とを抽出する情報制御部と、
前記抽出された第１情報を表示する第１情報表示部と、
前記抽出された第２情報を順次蓄積する第２情報蓄積部と、
前記蓄積された第２情報を順次表示する複数からなる第２情報表示部とを有することを特徴とする情報表示装置。
【請求項２】
前記第２情報は、情報を送信する者が情報を受信する者に対して強制的に提示する情報であることを特徴とする請求項１に記載の情報表示装置。
【請求項３】
前記第２の情報は、前記第１の情報の補助的な説明をする情報である、請求項１または２に記載の情報表示装置。
【請求項４】
前記第１の情報は、インターネット経由で受信された情報である、請求項１〜３のいずれか１つに記載の情報表示装置。
【請求項５】
前記第２情報表示部は不揮発性の表示デバイスであることを特徴とする請求項１〜４のいずれか１つに記載の情報表示装置。
【請求項６】
前記第１情報表示部と前記第２情報表示部とは異なる表示デバイスであることを特徴とする請求項１〜５のいずれか１つに記載の情報表示装置。
【発明の詳細な説明】
【０００１】
【発明の属する技術分野】
本発明は、地上波放送、衛星放送、ＣＡＴＶ網、インターネットなどの伝送路を介して伝送されてくる情報、特に広告データを含む情報を受信して表示する情報表示装置及び情報表示システムに関する。
【０００２】
【従来の技術】
従来、伝送路を介して伝送されてくる広告データを含む情報を表示する装置として、伝送された新聞のデータおよび広告のデータを含むデータを受信して記録し、新聞のデータを表示手段で読み出した後、所定の時間が経過すると、表示手段に広告のデータを表示させるデータ表示装置が特開平８−１８５２１号公報に開示されている。
【０００３】
また、近年では、インターネットを介して広告を配信し、利用者はパソコンなどのディスプレイに表示されるウェブページにその広告をバナー表示させたり、さらに、ウェブページの画面を複数のフレームに区切り、広告のバナー表示を広告専用のフレームに表示させることも可能になっている。
【０００４】
【発明が解決しようとする課題】
しかしながら、特開平８−１８５２１号公報で開示されているデータ表示装置では、所定の間隔毎に広告を利用者に表示して提供できるため、広告を提供する者にとっては有効なものであったが、広告が表示されている間は表示がオーバーラップしているため新聞のデータを読むことができず、利用者にとっては使い勝手の良いものではなかった。また、利用者がその新聞データをすぐに読み終えてしまった場合は、広告データが表示される前に利用者は画面を見るのをやめてしまうという問題があった。
【０００５】
また、インターネットを介したウェブページの広告表示では、広告専用のフレームに広告を表示させることにより、メイン画面を表示するフレームとは独立して広告を表示することができるため、メイン画面の表示が広告の表示でオーバーラップして読めなくなることはなくなり、使い勝手の良い広告表示を提供することができるが、利用者が他のアドレスのウェブページにジャンプすると、その広告表示は消えてしまうという問題があった。また、メイン表示と広告表示とは同一ディスプレイ画面内のフレーム表示で区切られているにすぎず、物理的に区切られているわけではないため、広告表示の画面をメイン表示の画面よりも精細な表示にさせたり、あるいは、メイン表示の画面と広告表示の画面のどちらか一方だけを表示させたりすることはできなかった。
【０００６】
【課題を解決するための手段】
本発明は上記課題を解決するために、少なくとも第１情報及び第２情報からなる情報を受信する情報受信部と、前記受信情報から第１情報と第２情報とを抽出する情報制御部と、前記抽出された第１情報を表示する第１情報表示部と、前記抽出された第２情報を表示する第２情報表示部とを有し、前記第１情報表示部と前記第２情報表示部とは解像度が異なることを特徴とする情報表示装置を提供する。
【０００７】
また、本発明は、少なくとも第１情報及び第２情報からなる情報を受信する情報受信部と、前記受信情報から第１情報と第２情報とを抽出する情報制御部と、前記抽出された第１情報を表示する第１情報表示部と、前記抽出された第２情報を順次蓄積する第２情報蓄積部と、前記蓄積された第２情報を順次表示する複数からなる第２情報表示部とを有することを特徴とする情報表示装置を提供する。
【０００８】
また、本発明は、前記第１情報はユーザが視聴することを選択することができる情報であり、前記第２情報は、情報を送信する者が情報を受信する者に対して強制的に提示する情報であることを特徴とする情報表示装置を提供する。ここで、強制的に提示する情報とは、例えば広告情報であり、これにより、情報送信者は、効果的に広告活動を行うことができる。
また、本発明は、前記第２の情報は、前記第１の情報の補助的な説明をする情報である。
また、本発明は、前記第１の情報は、インターネット経由で受信された情報である情報表示装置を提供する。
また、本発明は、前記第２情報表示部は不揮発性の表示デバイスであることを特徴とする。このため、情報表示装置の電源をオフにした場合に、第２の情報を表示し続けることができる。
【０００９】
また、本発明は、前記第１情報表示部と前記第２情報表示部とは異なる表示デバイスであることを特徴とする情報表示装置を提供する。例えば、第１情報表示部に液晶ディスプレイを採用し、第２情報表示部に電源がオフの場合でも表示し続ける不揮発性の表示デバイスを採用することにより、本発明の情報表示装置の電源をオフにした場合に、第１情報を表示しないで第２情報だけを表示し続けることができる。さらに、第２情報が広告情報の場合には、広告を表示し続けることが可能なため、情報送信者にとっては広告の効果を大きくすることができ、一方、情報受信者にとってはお気に入りの広告を表示し続けることができる。
【００１１】
【発明の実施の形態】
本発明による情報表示装置の実施形態について図を参照しながら説明する。
＜第１の実施の形態＞
図１は、本実施形態における情報表示装置の構成を示し、情報表示装置１０２は、情報受信部１０３、情報制御部１０４、第１情報記憶部１０５、第１情報表示部１０６、第２情報記憶部１０７、第２情報表示部１０８が設けられている。
【００１２】
まず、図１を参照して、情報表示装置１０２が情報提示機１０１から送信されてくるデータを受信してから表示するまでのデータの流れについて説明する。
【００１３】
情報受信部１０３は、情報提示機１０１から送信されてくる第１情報データ及び第２情報データの２種類のデータからなるデータを受信する。
【００１４】
情報制御部１０４は、情報受信部１０３で受信したデータを第１情報データと第２情報データとに分離し、第１情報データを第１情報記憶部１０５に第２情報データを第２情報記憶部１０７にそれぞれ振り分ける。
【００１５】
第１情報記憶部１０５、第２情報記憶部１０７は、情報制御部１０４で振り分けられた第１情報データ、第２情報データをそれぞれ記憶する。
【００１６】
第１情報表示部１０６、第２情報表示部１０８は、第１情報記憶部１０５、第２情報記憶部１０７で記憶された第１情報データ、第２情報データをそれぞれ表示する。
【００１７】
次に、情報提示機１０１、第１情報データ及び第２情報データについて具体例を挙げて説明する。
【００１８】
情報提示機１０１は、テレビ放送局の送信装置であり、テレビ番組データ（第１情報データ）及び広告データ（第２情報データ）からなるデータを送信する。ここで、テレビ番組データとは、ニュース番組などのテレビ番組を表示するためのデータのことであり、広告データとは、スポンサーなどの広告依頼者から依頼された広告を表示するためのデータのことである。また、情報表示装置１０２はテレビ放送を受信可能な装置であり、上記データを受信し表示する。
【００１９】
情報受信部１０３では、上記データを受信し、情報制御部１０４で各情報を振り分け、第１情報記憶部１０５、第２情報記憶部１０７にそれぞれテレビ番組データ、広告データを記憶させ、第１情報表示部１０６、第２情報表示部１０８にそれぞれテレビ番組、広告を表示させる。
【００２０】
図３は、上述のように情報表示装置１０２がテレビ受像機であり、テレビ番組及び広告を受信して表示する場合の表示例であり、テレビ受像機の画面が物理的に２つに分離された状態で、第１情報表示部１０６及び第２情報表示部１０８をなす。テレビ番組を表示するための第１情報表示部１０６には「７時のニュース」と表示され、広告を表示するための第２情報表示部１０８には「液晶は○○○○」と表示される。この場合、情報受信部１０３、第１情報記憶部１０５、及び第１情報表示部１０６は既存のテレビ受像機に使用される部品を代用することができるため、情報表示装置１０２を製造する場合には、既存のテレビ受像機に情報制御部１０４、第２情報記憶部１０７、及び第２情報表示部１０８を追加し、第１情報表示部１０６に対し第２情報表示部１０８を隣接して配置すればよく、製造コストを抑えることができる。
【００２１】
上述の例では第２情報はスポンサーから依頼された広告であったが、これに限る必要はなく、例えば既存の文字放送等のデータを第2情報として第2情報表示部に表示させることも可能である。
【００２２】
次に、情報提示機１０１、第１情報データ及び第２情報データについて他の具体例を示す。
【００２３】
情報提示機１０１はテレビであり、情報表示装置１０２は多機能リモコンである。多機能リモコンとは、テレビ、ビデオ又はエアコン等の家電製品と双方向にデータのやり取りをすることでテレビのリモコンにもビデオのリモコンにもエアコンのリモコンにもなるというものである。この場合、テレビから多機能リモコンに送信される第１情報データは、テレビが現在受信しているテレビ放送のチャンネル番号を示すデータであり、第２情報データは、広告データである。ここで、広告データは外部からテレビに入力されるものであり、テレビ放送局、電話回線、ＲＳ２３２Ｃ、又は赤外線を介して送信されてくるものである。電話回線、ＲＳ２３２Ｃ、又は赤外線を利用する場合は、テレビに別途そのための受信部を設ける必要があるが、これらは周知の技術であるため容易に実現することができる。
【００２４】
図４は、上述のように情報表示装置１０２が多機能リモコンであり、チャンネル番号及び広告を受信して表示する場合の表示例である。チャネル番号を表示するための第１情報表示部１０６には現在受信中のチャンネル番号「１」がハイライトされて表示されており（図４ではハイライト表示を便宜上、斜線表示で示している）、また、広告を表示するための第２情報表示部１０８には「すべての機器があなたの手中に…○○○○メディアクルーズ」と表示されている。
＜第２の実施の形態＞
第２の実施の形態と第１の実施の形態と異なる主なところは、第１情報を表示する表示部と第２情報を表示する表示部とが同一筐体内に存在しないところである。
【００２５】
図２は、本実施形態における情報表示システムの構成を示し、情報表示システムは、第１情報表示装置２０１及び第２情報表示装置２０２とから構成されている。第１情報表示装置２０１は、情報受信部１０３、情報制御部１０４、第１情報記憶部１０５、第１情報表示部１０６、及び第２情報送信部２０３から構成されており、また、第２情報表示装置２０２は、第２情報受信部２０４、第２情報記憶部１０７、及び第２情報表示部１０８から構成されている。
【００２６】
まず、図２を参照して、情報表示システムが情報提示機１０１から送信されてくるデータを受信してから表示するまでのデータの流れについて説明する。
【００２７】
情報受信部１０３は、情報提示機１０１から送信されてくる第１情報データ及び第２情報データの２種類のデータからなるデータを受信する。
【００２８】
情報制御部１０４は、情報受信部１０３で受信したデータを第１情報データと第２情報データとに分離し、第１情報データを第１情報記憶部１０５に第２情報データを第２情報送信部２０３にそれぞれ振り分ける。
【００２９】
第１情報記憶部１０５は、情報制御部１０４で振り分けられた第１情報データを記憶し、第１情報表示部１０６でその記憶された第１情報データを表示する。
【００３０】
第２情報送信部２０３は、情報制御部１０４で振り分けられた第２情報データを赤外線等の無線を利用して第２情報表示装置２０２に送信する。
【００３１】
第２情報受信部２０４は、第２情報送信部２０３から送信された第２情報データを受信する。
【００３２】
第２情報記憶部１０７は、第２情報受信部２０５で受信した第２情報データを記憶し、第２情報表示部１０８でその記憶された第２情報データを表示する。
【００３３】
次に、情報提示機１０１、第１情報表示装置２０１、第２情報表示装置、第１情報データ及び第２情報データについて具体例を挙げて説明する。
【００３４】
情報提示機１０１は、第１の実施の形態と同様にテレビ放送局の送信装置であり、テレビ番組データ（第１情報データ）及び広告データ（第２情報データ）からなるデータを送信する。また、第１情報表示装置２０１はテレビ番組データを受信可能なテレビであり、第２情報表示装置２０２は広告データを受信可能なテレビリモコンである。
【００３５】
情報受信部１０３では、上記データを受信し、情報制御部１０４でテレビ番組データを第１情報記憶部１０５に、広告データを第２情報送信部２０３にそれぞれ振り分ける。第１情報記憶部１０５に振り分けられたテレビ番組は、第１情報表示部１０６に表示させる。一方、第２情報送信部２０３に振り分けられた広告データは、第２情報受信部２０４に送信され、第２情報記憶部１０７に記憶されて、第２情報表示部１０８に表示される。
【００３６】
本実施形態では、このような構成を採用しているため、テレビ番組をテレビに表示するとともに広告をテレビリモコンの表示部に表示することが可能になる。
【００３７】
図５は、上述のように第１情報表示装置２０１がテレビで、第２情報表示装置２０３がテレビリモコンであって、テレビ番組及び広告を受信して表示する場合のテレビリモコンの表示例である。テレビリモコンの表示部には、「すべての機器があなたの手中に…○○○○メディアクルーズ」という広告が表示されている。
【００３８】
以上、第１及び第２の実施の形態について説明をしたが、そこでは、情報表示部及び情報記憶部の対は２個であったが、本発明はこれに限定されることはなく、その対が３個以上あってもよい。その場合、情報提示機１０１からは３種類以上の情報を送信し、情報制御部１０４においてそれぞれ振り分けられ、それぞれの表示部で表示されることになる。
【００３９】
また、第１及び第２の実施の形態において、第２情報記憶部１０７及び第２情報表示部１０８が１個の対の場合の例を示したが、本発明はこれに限定されるものではなく、２個以上の第２情報記憶部１０７及び第２情報表示部１０８の対が設けられていてもよい。この場合、複数の第2情報記憶部１０７には、それまでに送信された第2情報の履歴が一つずつ順番に保存されており、その第2情報記憶部１０７に対応する第2情報表示部１０８において、その第2情報が表示されることになる。
【００４０】
図６は第２情報記憶部１０７及び第２情報表示部１０８が２個の対からなり、情報表示装置１０２がテレビの場合の表示例を示す。図6では、以前送信された第2情報が「液晶は○○○○」で、最近送信された第2情報が「○○○○  メディアクルーズ」であった場合の一例である。次に新たな第2情報が送信されると、左の表示部では「液晶は○○○○」が消えて「○○○○  メディアクルーズ」が表示され、右の表示部には新しく送信された第2情報が表示されることになる。
【００４１】
また、第１及び第２の実施の形態において、第１情報データとしてテレビ番組、第２情報データとして広告の例を示したが、本発明はこれに限定されるものではなく、第１情報データがインターネットを介するウェブページを示すデータであってもよい。また、第２情報データが映画の字幕スーパーを示す文字データであっても、２か国語放送時の翻訳を示す文字データであっても、第１情報データの補助的な説明をするデータであってもよい。
【００４２】
また、第１及び第２の実施の形態では、第２情報表示部１０８は広告専用の表示装置であるため、この部分に強誘電性液晶などの不揮発性の表示デバイスを用いることにより、情報表示装置１０２の電源を切っても広告を表示し続けることが可能になる。例えばお気に入りの広告表示を受信した場合には、表示設定手段（図示せず）により、それを第２情報表示部１０８に常に表示しておくように設定すれば、利用者にとってはお気に入りの画像を表示し続けることができ、一方、広告提供者にとっては長い時間にわたって広告が表示されるため宣伝効果をさらに高めることができる。
【００４３】
また、第１情報表示部１０６及び第２情報表示部１０８にそれぞれ表示のオン／オフを切り替えるための電源スイッチを設けることにより、どちらか一方だけを表示するように設定することができ、無駄な消費電力を抑えることができる。
【００４４】
また、第１情報表示部１０６と第２情報表示部１０８とは物理的に離れているため、どちらか一方だけを解像度の高い表示デバイスにすることも可能である。例えば、表示サイズの小さい第２情報表示部１０８だけ解像度の高い表示デバイスを使用し、それに広告表示をさせることにより、より精細な広告表示をすることができるため、広告提供者にとっても利用者にとっても使い勝手が良くなる。さらに、表示サイズの大きい第１情報表示部１０６は解像度の高い表示デバイスを使用しなくても良いため、製造コストを低く抑えることができる。
【００４５】
【発明の効果】
以上説明してきたように、本発明によれば、テレビやリモコン端末にメイン情報の表示部とは別に独立した表示部を設け、その独立した表示部に広告等を表示することができる。その広告は広告専用の表示部に表示されるので、ユーザの見たい情報を邪魔することなく広告を表示でき、また広告専用の表示部を高品位のものにすることによって、品位の高い表示をすることができる。また、広告専用に不揮発性の表示部を用いることで、テレビやリモコンの電源が切れている時でも、常に広告を表示し続けるようにすることができる。
【図面の簡単な説明】
【図１】本発明の第１の実施の形態における情報表示装置の構成図である。
【図２】本発明の第２の実施の形態における情報表示システムの構成図である。
【図３】本発明の第１の実施の形態における情報表示装置がテレビである場合の受信情報の表示例である。
【図４】本発明の第１の実施の形態における情報表示装置が多機能リモコンである場合の受信情報の表示例である。
【図５】本発明の第２の実施の形態における情報表示装置がテレビリモコンである場合の受信情報の表示例である。
【図６】本発明の第２の実施の形態における情報表示装置がテレビであって、その表示部が３個ある場合の受信情報の表示例である。
【符号の説明】
１０２  情報表示装置
１０３  情報受信部
１０４  情報制御部
１０６  第１情報表示部
１０８  第２情報表示部
【図１】
0003824833.tif 000002
【図２】
0003824833.tif 000003
【図３】
0003824833.tif 000004
【図４】
0003824833.tif 000005
【図５】
0003824833.tif 000006
【図６】
0003824833.tif 000007